(57)【要約】【課題】基礎パッキン工法を採用した家屋において、耐震強度を低下させることなく、床下における空気の流通をより良好とすることができる床下換気装置を提供する。【解決手段】空気吸込口９を形成するとともに空気誘導部１０を突出形成し、この空気誘導部１０の先端開口を空気吐出口１１としてなる筐体２と、この筐体２に内蔵された回転翼体３と、この回転翼体３を駆動するモーター６とから床下換気装置１を構成する。空気誘導部１０を基礎５１と土台５２との間に形成された間隙Ａに差し込むことができるようにする。【選択図】              図４
2004239511.tif 000002
【特許請求の範囲】
【請求項１】
基礎パッキン工法を採用した家屋において、床下の換気を確保すべく設置される床下換気装置であって、空気吸込口を形成するとともに空気誘導部を突出形成し、この空気誘導部の先端開口を空気吐出口としてなる筐体と、この筐体に内蔵された回転翼体と、この回転翼体を駆動するモーターとから構成され、前記空気誘導部を基礎と土台との間に形成された間隙に差し込むことができるようにしたことを特徴とする床下換気装置。
【請求項２】
前記筐体の上面部にその下面部を固定し、前記土台にその側面部を固定する支持部材を配設したことを特徴とする請求項１に記載の床下換気装置。
【請求項３】
前記支持部材の下面部を前記筐体の上面部において前後方向に移動自在として、支持部材の位置を変更できるようにしたことを特徴とする請求項２に記載の床下換気装置。
【請求項４】
前記空気誘導部の上面及び下面に緩衝材を固着したことを特徴とする請求項１乃至３に記載の床下換気装置。
【発明の詳細な説明】
【０００１】
【発明の属する技術分野】
本発明は、耐震性を考慮した基礎パッキン工法を採用した家屋において、床下の換気をより効率的に為し得るようにした床下換気装置に関する。
【０００２】
【従来の技術】
木造家屋の寿命を長くするためには、床下における空気の流通を良好とし、低湿気状態に保持して、シロアリによる食害や微生物等による腐敗等の被害から、木材を防護する必要がある。
床下を低湿気状態に保持する方法として、一般には、基礎の側面に複数の通気孔を穿設して、空気の流通を確保したり、さらには、その通気孔に換気装置を装着して、空気の流通をより良好にしたりしていた。
【０００３】
しかし、上記のような方法では、基礎に通気孔を穿設するために、どうしても基礎の強度が低下し、大きな地震が起生した場合には、その通気孔から亀裂が発生し、家屋が損壊又は倒壊する虞れがあるという問題があった。
そこで、大きな地震にも十分に耐えることができ、床下における空気の流通をも良好とすることができる方法として、図５に示すように、基礎１０１と土台１０２との間に所定間隔で基礎パッキン１０３を配設し、空気が流通する間隙Ａを形成する基礎パッキン工法が考えられた。
【０００４】
基礎パッキン工法によれば、基礎１０１と土台１０２の間に形成された間隙Ａを介して、床下における空気の流通を確保することができ、しかも、基礎１０１には通気孔を穿設しないから、大きな地震にも十分に耐えることができる。
又、基礎１０１と土台１０２とは直接接触しないので、基礎１０１を構成するコンクリートに含有されるアルカリ成分、水分が土台１０２に浸透することがなく、土台１０２を腐敗から防護することもできる。
【０００５】
しかし、基礎パッキン１０３の厚さは２ｃｍ程度であり、１ｍ程度の間隔で配設されるから、基礎１０１と土台１０２との間に形成された間隙Ａの面積はそれ程大きいものではなく、風呂場、炊事場等の特に湿気が多く発生する床下にあっては、空気の流通は十分とは言えなかった。
そこで、基礎パッキン工法においてかかる問題を解決すべく、基礎の側面に排出口を穿設し、この排出口に配管を連結して、床下における空気の流通を良好にするようにした床下換気装置が提案されている（特許文献１参照。）
【０００６】
【特許文献１】
実用新案登録第３０７１６２６号公報
【０００７】
【発明が解決しようとする課題】
しかし、上記特許文献１に開示された床下換気装置にあっては、基礎の側面に少なくとも１つの排出口を穿設するため、どうしても、地震に対する強度は低下しざるを得ない。
【０００８】
本発明は、かかる従来における問題点を解決すべく為されたものであって、その目的とするところは、基礎パッキン工法を採用した家屋において、耐震強度を低下させることなく、しかも、床下における空気の流通をより良好とすることができる床下換気装置を提供することにある。
【０００９】
【課題を解決するための手段】
上記目的を達成するために、本発明は、空気吸込口を形成するとともに空気誘導部を突出形成し、この空気誘導部の先端開口を空気吐出口としてなる筐体と、この筐体に内蔵された回転翼体と、この回転翼体を駆動するモーターと、から床下換気装置を構成し、前記空気誘導部を基礎と土台との間に形成された間隙に差し込むことができるようにしたことを特徴とする。
【００１０】
ここで、前記筐体の上面部にその下面部を固定し、前記土台にその側面部を固定する支持部材を配設すれば、床下換気装置を土台に装着することができる。
【００１１】
さらに、前記支持部材の下面部を前記筐体の上面部において前後方向に移動自在として、支持部材の位置を変更できるようにすれば、床下換気装置を適宜位置に装着することができる。
【００１２】
又、前記空気誘導部の上面及び下面に緩衝材を固着すれば、床下換気装置の装着時における安定性がより向上するので好ましい。
【００１３】
【発明の実施の形態】
以下、本発明の床下換気装置の実施形態について、図面を参照して具体的に説明する。
図１は本発明の床下換気装置の一実施例の外観斜視図、図２は図１の床下換気装置のＡ−Ａ線断面図、図３は図１の床下換気装置のＢ−Ｂ線断面図、図４は図１の床下換気装置の使用状態図である。
【００１４】
本発明の床下換気装置１は、図１及び２に示すように、筐体２、筐体２に内蔵された回転翼体３、送風案内壁４、送風案内片５、回転翼体３を作動するモーター６、モーターカバー７及び支持部材８から構成される。
【００１５】
筐体２は、底面部に複数条のスリットからなる空気吸込口９を形成するとともに、正面部に空気誘導部１０を突出形成し、空気誘導部１０の先端開口を空気吐出口１１としてある。
振動によって破損したり、騒音を発生したりするのを防止するため、基礎５１及び土台５２に当接する部分に、伸縮性の高いゴム、発泡ゴム又はプラスチック等からなる緩衝材１２を被着してもよい。
【００１６】
空気誘導部１０は、図４に示すように、床下換気装置１の使用時において、基礎５１と土台５２との間に形成された間隙Ａに差し込むことができるよう、断面長方形状を呈し、基礎パッキン５３の厚さより若干低い高さとしてある。
さらに、装着時の安定性を考慮して、上面及び下面に伸縮性の高いゴム、発泡ゴム又はプラスチック等からなる緩衝材１３を固着するのが好ましい。
【００１７】
回転翼体３としては、図２及び図３に示すように、幅が狭く長さの長い若干湾曲した断面を有する羽根部材を、所定径を有する円板間に円周方向所定間隔で多数配設した、クロスフローファンの回転翼体を採用するのが好ましい。
【００１８】
送風案内壁４は、図２に示すように、回転翼体３の上半部の周囲に配設してあり、空気吸込口９から吸い込んだ湿度の高い空気を空気誘導部１０へと流入させる案内をするものである。
【００１９】
送風案内片５は、図２に示すように、回転翼体３の前方に配設してあり、送風案内壁４によって案内した空気を下方に流動させることなく、効率的に空気誘導部１０へと流入させる案内をするものである。
【００２０】
モーター６は、筐体２の側面部に固定してあり、駆動軸６ａを回転翼体３の一方の円板に連結して、回転翼体３を駆動して、回転するようになっている。
モーター６は、モーターカバー７によって被覆してあり、モーター６からの発熱を放出できるよう、モーターカバー７には通気孔を穿設してある。
【００２１】
支持部材８は、Ｌ字状に折曲した板材であって、下面部８ａには長孔１４，１４を穿設してある。よって、筐体２の上面部において下面部８ａを前後方向に移動させ、適宜位置でネジ等によって固定すれば、支持部材８の位置を適宜変更できるようになっている。
又、支持部材８の側面部８ｂには挿通孔１５を穿設してある。よって、側面部８ｂを土台５２に当接して、ネジ等によって固定すれば、床下換気装置１を適宜位置に装着できるようになっている。
さらに、振動によって騒音を発生するのを防止するため、側面部８ｂには伸縮性の高いゴム、発泡ゴム又はプラスチック等からなる緩衝材１６を固着するのが好ましい。
【００２２】
本発明の床下換気装置１は、上記の如く構成されているので、図４に示すように、筐体２の空気誘導部１０を基礎５１と土台５２との間に形成された間隙Ａに差し込み、支持部材８の側面部８ｂを土台５２に当接、固定すれば、床下の適宜位置に装着することができる。
【００２３】
そして、モーター６を駆動させ、回転翼体３を回転させれば、図４に示すように、湿度の高い空気は、空気吸込口９から吸い込まれ、送風案内壁４に案内されて空気誘導部１０へと流入し、空気吐出口１１から屋外へと排出される。
【００２４】
このように、本発明の床下換気装置１によれば、基礎パッキン工法を採用した家屋において、風呂場、炊事場等の特に湿気が多く発生し、換気が不十分だった床下にあっても、十分な換気を行うことができる。
しかも、上記特許文献１に開示された床下換気装置のように、基礎の側面に排出口を穿設する必要はないから、耐震強度を低下させることもない。
【図面の簡単な説明】
【図１】本発明の床下換気装置の一実施例の外観斜視図である。
【図２】図１の床下換気装置のＡ−Ａ線断面図である。
【図３】図１の床下換気装置のＢ−Ｂ線断面図である。
【図４】図１の床下換気装置の使用状態図である。
【図５】基礎パッキン工法を採用した基礎及び土台を示す説明図である。
【符号の説明】
１  床下換気装置
２  筐体
３  回転翼体
６  モーター
８  支持部材
８ａ  下面部
８ｂ  側面部
９  空気吸込口
１０  空気誘導部
１１  空気吐出口
１３  緩衝材
５１  基礎
５２  土台
Ａ  間隙
【図１】
2004239511.tif 000003
【図２】
2004239511.tif 000004
【図３】
2004239511.tif 000005
【図４】
2004239511.tif 000006
【図５】
2004239511.tif 000007